(57)【特許請求の範囲】
【請求項１】
地上デジタル放送波の放送周波数帯域に隣接する携帯電話用周波数帯域を利用して無線送受信をする携帯電話装置に設けられ，前記放送周波数帯域内に含まれる複数の周波数帯の放送波を選択して受信する地上デジタル放送受信装置において，
前記地上デジタル放送の放送波周波数帯域内に含まれる複数の周波数帯の放送波から，選択された周波数帯の希望放送波を受信した高周波受信信号を増幅する増幅器と，
前記増幅器が出力する増幅高周波受信信号に，前記希望放送波の周波数に対応するローカル周波数信号を乗算し，前記ローカル周波数を中心とする第１の周波数帯域であって前記希望放送波とその隣接波とを含む第１の周波数帯域を通過させて，中間周波数受信信号を出力するミキサと，
前記中間周波数受信信号のうち前記第１の周波数帯域に含まれる希望放送波とその隣接波とを通過させる可変フィルタと，
前記可変フィルタを通過した前記希望放送波と前記希望放送波の隣接波の電力を検出する電力検出回路と，
前記検出された電力が基準電力に近づくように前記増幅器のゲインを制御するゲイン制御回路とを有し，
前記増幅器が出力する増幅高周波受信信号には前記希望放送波と前記隣接波が含まれ，前記隣接波の相互変調により発生した歪信号が前記希望放送波と同じ周波数帯に位置し，
前記可変フィルタは，前記希望放送波の周波数帯が前記放送波周波数帯域内の端部の周波数帯の場合に，前記希望放送波の周波数帯が前記放送波周波数帯域内の前記端部の周波数帯以外の周波数帯の場合に比較して，通過帯域が前記希望放送波と前記隣接波を通過させ前記携帯電話用周波数帯域の携帯電話用信号波を通過させないように狭く制御される地上デジタル放送受信装置。
【請求項２】
請求項１において，
前記ミキサに入力される前記ローカル周波数信号のローカル周波数は，前記選択周波数帯に対応する周波数に切り替えられる地上デジタル放送受信装置。
【請求項３】
請求項２において，
さらに，前記第１の通過帯域を通過した前記中間周波数受信信号から，前記隣接波を除き前記希望波の周波数帯を通過させる希望波選択フィルタを有し，
前記希望波選択フィルタを通過した希望波が後段の復調装置に出力される地上デジタル放送受信装置。
【発明の詳細な説明】
【技術分野】
【０００１】
本発明は，無線受信装置に関する。
【背景技術】
【０００２】
無線受信装置は，高周波信号を受信し所望の周波数の希望波を抽出し，復調，復号などを行って，送信された情報を取り出す。地上デジタル放送用の受信装置や携帯電話や携帯通信端末もこのような無線受信装置を有し，復号化された映像や音声のデジタル信号などを出力する。
【０００３】
無線通信において受信電波は一般に信号強度が弱いため，無線受信装置内で増幅して検波，復調，復号などが行われる。そのため，無線受信装置はアンテナで受信した受信信号を増幅する増幅器を有する。受信したい希望波が想定する以上の電力で入力されると，増幅器により増幅された信号が劣化し，後段の信号処理回路に不適切な信号となり，受信データを適切に取得することができない。また，希望波と共に隣接する周波数の妨害波が入力された場合も，妨害波が想定以上の電力を有する場合は，希望波を適切に増幅することができない。そのため，無線受信装置内の増幅器は，ゲインコントロールが可能になっている。
【０００４】
このような無線受信装置の増幅器については，特許文献１，２，３などに記載されている。
【先行技術文献】
【特許文献】
【０００５】
【特許文献１】特開２００３−１９８９８２号公報
【特許文献２】特開２００４−３７５１６号公報
【特許文献３】特開２００４−５６１９４号公報
【発明の概要】
【発明が解決しようとする課題】
【０００６】
無線受信装置内の増幅器には，その特性に応じて高調波歪みが発生することが知られている。例えば，地上デジタル放送の場合は，複数のチャネル（放送チャネル）の高周波信号が放送波帯域内の異なる周波数帯域に割り当てられている。その場合，隣接する２つの周波数の放送波が増幅器に入力した場合，それらの相互変調により，受信していない周波数の電波が増幅器から出力される。このような受信していない周波数の電波は，隣接妨害波による３次歪や３次相互変調積などと呼ばれている。
【０００７】
このような隣接する周波数の妨害波による３次歪みなどを低減するために，増幅器のゲイン制御が行われる。
【０００８】
一方，地上デジタル放送の放送波帯域に隣接して，携帯電話の帯域が存在する場合がある。そのような場合，携帯電話に内蔵されている地上デジタル放送受信装置の無線受信装置には，携帯電話の送信回路により送出される高い強度の電波が入力する。このような高い強度の電波が無線受信装置内の増幅器に入力すると，想定外の強い電波の影響で増幅器のゲイン制御が適切に行われない。
【０００９】
そこで，本発明の目的は，希望波の周波数帯域外の妨害波による影響を抑制した無線受信装置を提供することにある。
【課題を解決するための手段】
【００１０】
無線受信装置は，
第１周波数帯域内に含まれる複数の周波数帯の電波から，選択された周波数帯の希望波を受信した高周波受信信号を増幅する増幅器と，
前記増幅器が出力する増幅高周波受信信号にローカル周波数信号を乗算して中間周波数受信信号を出力するミキサと，
前記中間周波数受信信号のうち選択周波数帯の希望波とそれに隣接する周波数帯の隣接波とを通過させる可変フィルタと，
前記可変フィルタを通過した前記希望波と隣接波の電力を検出する電力検出回路と，
前記検出された電力が基準電力に近づくように前記増幅器のゲインを制御するゲイン制御回路とを有し，
前記可変フィルタは，前記選択周波数帯が前記第１周波数帯域内の端部の周波数帯の場合に，前記選択周波数帯が前記第１周波数帯域内の前記端部の周波数帯以外の周波数帯の場合に比較して，通過帯域が狭く制御される。
【発明の効果】
【００１１】
第１の側面によれば，妨害波による増幅器のゲイン制御への影響を抑制することができる。
【図面の簡単な説明】
【００１２】
【図１】本実施の形態における無線受信装置の一例の全体図である。
【図２】地上デジタル放送波の周波数帯域と携帯電話の周波数帯域の関係例を示す図である。
【図３】本実施の形態に関する無線受信装置である。
【図４】ミキサのフィルタ機能による第１の通過帯域の例を示す図である。
【図５】ミキサのフィルタ機能による第１の通過帯域の別の例を示す図である。
【図６】本実施の形態における無線受信装置である。
【図７】本実施の形態における可変フィルタ１３２の周波数帯域を示す図である。
【図８】可変フィルタ１３２の第１の例の回路図である。
【図９】可変フィルタ１３２の第２の例の回路図である。
【図１０】図９の可変フィルタのフィルタ特性を示す図である。
【図１１】本実施の形態における可変フィルタの周波数特性の制御例を示す図である。
【図１２】第２の実施の形態における無線受信装置である。
【図１３】第３の実施の形態における無線受信装置である。
【発明を実施するための形態】
【００１３】
図１は，本実施の形態における無線受信装置の一例の全体図である。図１には，アンテナＡＴと，無線通信を行う携帯電話用通信装置２０と，無線受信を行う地上デジタル放送受信装置１０とを有する携帯電話が示されている。
【００１４】
地上デジタル放送受信装置１０は，本実施の形態の無線受信装置の一例であり，アンテナＡＴから受信した高周波アナログ信号Ｓ１を入力し選択された放送波のＩＦアナログ信号Ｓ２を出力するチューナ１２と，ＩＦアナログ信号Ｓ２を入力し復調されたストリームデータのデジタル信号Ｓ３を出力する復調部１３と，ストリームデータをＭＰＥＧ伸長処理して映像データのデジタル信号Ｓ４を出力する復号部１６とを有する。復調部１３は，ＡＤ変換器１４と，地上デジタル放送の変調方式であるＯＦＤＭの復調を行うＯＦＤＭ復調部１５とを有する。
【００１５】
一方，携帯電話用通信装置２０は，図示していないが，送信回路と受信回路とを有し，基地局との間で無線送受信を行う。したがって，携帯電話用通信装置２０からは大電力の高周波電波が送出される。この送出される大電力の高周波信号の周波数帯が，地上デジタル放送波の周波数帯域に近接している場合，その送出される大電力の高周波信号が，地上デジタル放送受信器１０のチューナ１２に不適切な影響を与える場合がある。
【００１６】
図２は，地上デジタル放送波の周波数帯域と携帯電話の周波数帯域の関係例を示す図である。図２中には，地上デジタル放送波の周波数帯域ＤＴＶと，その放送波帯域外であり隣接する４つの携帯電話の周波数帯域が例示されている。放送波の周波数帯域ＤＴＶは，たとえば４７０〜７７０ＭＨｚであり，その帯域にはたとえば１３〜６２チャネルの周波数帯域が含まれている。そして，放送波の周波数帯域ＤＴＶに近接してＡキャリアの周波数帯域８３２．５ＭＨｚが割り当てられている。
【００１７】
このように，放送波の周波数帯域ＤＴＶに近接して携帯電話の周波数帯域が存在する場合，図１に示した携帯電話端末においては，携帯電話の周波数帯域８３２．５ＭＨｚの送信電波が送出される環境下で，地上デジタル放送波を受信することが求められる。つまり，地上デジタル放送受信装置は，放送波に加えて放送波周波数帯域ＤＴＶに近接する周波数帯の大電力を有する電波を受信しながら，放送波から選択された周波数帯を有する希望波を受信することが要求される。
【００１８】
図３は，本実施の形態に関する無線受信装置である。図３には図１のチューナ１２が示されている。チューナ１２は，受信した高周波アナログ受信信号Ｓ１を処理し，選択された周波数帯の希望波，即ち選局された放送波のＩＦアナログ信号Ｓ２を出力する。
【００１９】
チューナ１２は，高周波受信信号Ｓ１を増幅するローノイズアンプ１２０と，増幅された高周波受信信号Ｓ１２０にローカル周波数信号ＦＬｏを乗算して中間周波数受信信号Ｓ１２２を出力するミキサ１２２を有する。このローカル周波数信号ＦＬｏはＰＬＬシンセサイザ１２３により生成される。ＰＬＬシンセサイザ１２３は，選択された希望波の周波数帯の情報，即ち選択チャネル情報ＣＨに対応するローカル周波数の信号ＦＬｏを生成する。そして，ミキサ１２２は，ローカル周波数ＦＬｏを中心とし選択された希望波とその隣接波とを含む第１の通過帯域を有するフィルタ特性を有する。
【００２０】
図４は，ミキサのフィルタ機能による第１の通過帯域を示す図である。横軸が周波数ｆを，縦軸が信号の電力（ｄＢｍ）を示す。ミキサ１２２が持つフィルタの第１の通過帯域Ｆ１２２は，放送波周波数帯域ＤＴＶ内であって，ローカル周波数ＦＬｏを中心とする帯域であり，希望波３０と，それに隣接する隣接波３１，３２を含む帯域である。図４に示されるとおり，第１の通過帯域Ｆ１２２内には，希望波３０と，その両側の隣接波３１と，更に離れた２つの隣接波３２−１，３２−２とが含まれている。ローカル周波数ＦＬｏは希望波３０の周波数に近い周波数であり，後段のＡＤコンバータのサンプリングレートで対応可能な中間周波数になるように選択される。
【００２１】
図４には，増幅器１２０で増幅されたことにより発生した，隣接波３１の３次歪３３と，隣接波３２−１，３２−２の相互変調により発生した３次歪（３次相互変調積，干渉波）３５−１，３５−２とが示されている。特に，相互変調による３次歪３５−１は，希望波３０と同じ周波数帯に位置している。
【００２２】
図３に戻り，第１の通過帯域Ｆ１２２内の希望波と隣接波及び３次歪を有する中間周波数信号Ｓ１２２から，希望波選択フィルタ１２４により，希望波３０のみが抽出される。希望波選択フィルタ１２４はローパスフィルタであり，図４に希望波選択フィルタ１２４の周波数帯域Ｆ１２４が破線で示されている。
【００２３】
例えば，ＰＬＬシンセサイザ１２３で，ローカル周波数ＦＬｏが希望波３０の中心周波数の近傍であって一定の中間周波数だけ離れた周波数に設定される。そして，希望波選択フィルタ１２４は，その希望波３０の周波数帯域（地上デジタル放送波であれば，例えば４３０ＫＨｚの帯域）のみを通過させるローパスフィルタ特性を有する。図４に示されるとおり，ローカル周波数ＦＬｏが選択チャネルＣＨに対応する希望波３０の中心周波数からある中間周波数だけ離れた周波数に設定されることで，希望波選択フィルタ１２４の通過帯域が固定されていても，隣接波３１，３２を低減して希望波３０を抽出することができる。
【００２４】
希望波選択フィルタ１２４の出力信号は，自動ゲイン制御アンプ１２６に入力される。このＡＧＣアンプ１２６は，たとえば，復調部１３内のＡＤ変換器１４で処理可能なレベルに増幅する。さらに，ＡＧＣアンプ１２６は，後段の復調部などが検出するエラーレートＢＥＲが低減するように，制御信号Ｃ１２４に基づいてそのゲインが制御される。
【００２５】
一方，ローノイズアンプ１２０の自動ゲイン制御は，中間周波数信号Ｓ１２２の電力を検出する電力検出回路１２８と，検出電力が基準電力になるようにゲイン制御信号Ｓ１３０をローノイズアンプ１２０に与える自動ゲイン制御部１３０とにより行われる。自動ゲイン制御部１３０は，検出電力と基準電力とを比較する比較器１３１と，その比較結果に応じてゲイン制御コードＳ１３０を生成するＡＤコンバータ１３２とを有する。
【００２６】
図４に示した隣接波３２−１，３２−２の３次歪３５−１は，これらの隣接波３２−１，３２−２の周波数差だけ隣接波３２−２から離れた希望波３０の周波数と一致することが知られている。その場合，３次歪み３５−１の電力が希望波３０の電力に比較して十分大きくなると，後段の復調部や復号部では適切に希望波３０を復調，復号することができない。ただし，隣接波３２−１，３２−２の電力をある一定量低減すると，３次歪３５−１の電力をその３倍低減することができる。
【００２７】
そこで，自動ゲイン制御部１３０が中間周波数信号Ｓ１２２内の最大電力をある基準値になるように増幅器１２０のゲイン制御をすることで，３次歪み３５−１の電力を希望波３０の抽出に支障がない程度まで低減することができる。そのためには，第１の通過帯域Ｆ１２２には，希望波３０に加えてその隣接波３１，３２が含まれることが好ましい。第１の通過帯域Ｆ１２２の帯域を適切に設定することで，増幅器１２０の自動ゲイン制御による３次歪３５の低減を高精度に行うことができる。
【００２８】
図５は，ミキサのフィルタ機能による第１の通過帯域の別の例を示す図である。図４の例では，希望波３０が放送波周波数帯域ＤＴＶの端部以外の周波数帯域を有する例であるのに対して，図５の例では，希望波３０が放送波周波数帯域ＤＴＶの端部の周波数帯域を有する例である。
【００２９】
図５のように，選択された希望波３０が放送波周波数帯域ＤＴＶの端部の帯域を有する場合は，ミキサ１２２に入力されるローカル周波数信号ＦＬｏの周波数が希望波３０の中心周波数から中間周波数だけ離れた周波数になるため，ローカル周波数ＦＬｏを中心とする第１の通過帯域Ｆ１２２内に，希望波３０とその隣接波３１，３２に加えて，妨害波３４が含まれる場合がある。この妨害波３４は，放送波周波数帯域ＤＴＶの外側であってその帯域に近接する携帯電話の周波数帯内の妨害波である。
【００３０】
図１に示した携帯電話の場合，この妨害波３４は自ら送出しているので，増幅器１２０に入力される妨害波３４の電力は，受信する放送波３０，３１，３２の電力よりも十分に大きくなる。そして，電力検出回路１２８がこの妨害波３４の電力を検出し，それに基づいて自動ゲイン制御部１３０が増幅器１２０の自動ゲイン制御を行うと，３次歪３５−１の電力を低下させるという本来の自動ゲイン制御が適切に行われなくなる。
【００３１】
図６は，本実施の形態における無線受信装置である。図６には，無線受信装置内のチューナが示されている。図６のチューナ１２は，図３の無線受信装置に加えて，中間周波数受信信号Ｓ１２２の希望波とその隣接波とを通過させる可変フィルタ１３２と，その可変フィルタ１３２の帯域Ｆ１３２を，選択周波数帯を示す選択チャネル情報ＣＨに応じて制御するフィルタ帯域制御部１３３とを有する。
【００３２】
この可変フィルタ１３２は，一例としてローパスフィルタであり，希望波の周波数帯が放送波周波数帯域ＤＴＶ内の端部の周波数帯の場合に，希望波の周波数帯が放送波周波数帯域ＤＴＶ内の端部の周波数帯以外の周波数帯の場合に比較して，その通過帯域Ｆ１３２が狭く制御される。望ましくは，帯域を狭く制御して放送波周波数帯域ＤＴＶの外の既知の妨害波３４を除外するように制御される。可変フィルタ１３２がローパスフィルタの場合は，カットオフ周波数を低くすることで通過帯域Ｆ１３２を狭くすることができる。
【００３３】
そして，電力検出回路１２８は，可変フィルタ１３２を通過した中間周波数信号Ｓ１３２の電力を検知し，自動ゲイン制御部１３０は，その検出電力が基準値になるように増幅器１２０のゲインを制御する。
【００３４】
図７は，本実施の形態における可変フィルタ１３２の周波数帯域を示す図である。図７の希望波３０は，図５と同様に放送波周波数帯域ＤＴＶの端部の帯域を有する。そして，ミキサ１２２のフィルタの帯域Ｆ１２２は，希望波３０の周波数帯に近接するローカル周波数ＦＬｏを中心とする所定の帯域である。
【００３５】
それに対して，可変フィルタ１３２の通過帯域Ｆ１３２は，選択チャネル情報ＣＨが希望波３０が放送波周波数帯域ＤＴＶの端部の帯域であることを示す場合は，図７に示すとおり，第１の通過帯域Ｆ１２２よりも狭く制御される。つまり，帯域Ｆ１３２には，希望波３０と隣接波３１，３２−２が含まれ，携帯電話の妨害波３４の周波数帯は含まれない。それにより，電力検出回路１２８には，妨害波３４が入力されず，放送波周波数帯域ＤＴＶ内の希望波３０とその隣接波３１，３２が入力され，自動ゲイン制御部１３０は，３次歪３５−１を希望波３０に対して十分減衰させるゲインに増幅器１２０を制御することができる。
【００３６】
可変フィルタ１３２の通過帯域Ｆ１３２が狭く制御されることで，電力検出回路１２８による電力検出対象から，隣接波３２−１が除かれてしまう。これにより，増幅器１２０の自動ゲイン制御による３次歪３５−１を希望波３０に対して十分減衰させるという自動ゲイン制御の精度は，図４のように通過帯域Ｆ１３２を狭くしないで帯域Ｆ１２２内の希望波とその隣接波の電力による自動ゲイン制御の場合に比較すると，低下することは否めない。しかし，極端に大きな電力を有する妨害波３４を低減することで，図５の帯域Ｆ１２２に妨害波３４が含まれる場合の不適切な自動ゲイン制御を回避することができる。
【００３７】
図４のように，希望波３０が放送波周波数帯域ＤＴＶの端部の周波数帯域ではない場合は，可変フィルタ１３２の通過帯域を，ミキサ１２２のフィルタの第１の通過帯域Ｆ１２２と同等またはそれ以上にする。ミキサの第１の通過帯域Ｆ１２２内には妨害波３４が含まれていないので，可変フィルタ１３２で通過帯域を制限しなければ，適切な自動ゲイン制御を行うことができるからである。
【００３８】
以上のように，可変フィルタ１３２は，希望波の周波数帯が放送波周波数帯域ＤＴＶ内の端部の周波数帯以外の周波数帯の場合には，放送波周波数帯域内ＤＴＶにある希望波３０とその隣接波３１，３２とを含む第１の通過帯域Ｆ１２２と同等またそれ以上に制御される。一方，希望波の周波数帯が放送波周波数帯域ＤＴＶ内の端部の周波数帯の場合には，放送波周波数帯域ＤＴＶ内にある希望波３０とその隣接波３１，３２とを含み第１の通過帯域より狭い第２の通過帯域Ｆ１３２に制御される。その結果，第２の通過帯域Ｆ１３２は，放送波周波数帯域ＤＴＶ外の既知の妨害波３４を含まないように制御される。
【００３９】
図８は，可変フィルタ１３２の第１の例の回路図である。この可変フィルタ１３２は，入力端子Ｖｉｎと，オペアンプＯＰＡと，その負極入力に接続された抵抗Ｒ１と，負極入力と出力端子Ｖｏｕｔとの間に並列に設けられたキャパシタＣ１，Ｃ２，Ｃ３とスイッチＳＷ１，ＳＷ２，ＳＷ３とを有する。そして，スイッチＳＷ１，ＳＷ２，ＳＷ３には，フィルタ帯域制御回路１３３からの制御信号Ｓ１３３が，チャネル１，２，３に対応してスイッチＳＷ１，ＳＷ２，ＳＷ３のいずれかを導通させる。
【００４０】
キャパシタの容量がＣ１＜Ｃ２＜Ｃ３の場合，スイッチＳＷ１，ＳＷ２，ＳＷ３がそれぞれ順に導通制御されると，可変フィルタ１３２のカットオフ周波数が順に低くなる。したがって，図６のフィルタ帯域制御回路１３３は，希望波の周波数帯が放送波周波数帯域ＤＴＶの端部以外の場合は，スイッチＳＷ１を導通させてカットオフ周波数を高い第１の周波数に制御し帯域幅を広い第１の帯域にし，希望波の周波数帯が放送波周波数帯域ＤＴＶの端部に位置する場合は，スイッチＳＷ３を導通させてカットオフ周波数を低い第３の周波数に制御して帯域幅を狭い第３の帯域にする。また，希望波の周波数帯が放送波周波数帯域ＤＴＶの端部に近い位置にある場合は，スイッチＳＷ２を導通させて，カットオフ周波数を第１，第３の周波数の間の第２の周波数に制御し帯域幅を第１，第３の帯域の間広さの第２の帯域する。
【００４１】
このように制御することで，電力検知回路１２８に入力する信号から放送波周波数帯域ＤＴＶの外側の妨害波３４を除外する若しくは抑制することができる。一方で，希望波の周波数帯が帯域ＤＴＶの端部以外の場合は，希望波とその隣接波とをＡＧＣ帰還ループ内の電力検出回路１２８に入力して適切に３次歪を低減できるように増幅器１２０のゲインを制御することができる。
【００４２】
図９は，可変フィルタ１３２の第２の例の回路図である。この可変フィルタは，図８と同じ可変フィルタを２組有し，オペアンプＯＰＡ１からなる一次のフィルタか，オペアンプＯＰＡ１とＯＰＡ２とからなる二次のフィルタかのいずれかに切替可能にされる。そして，可変フィルタは，スイッチＳ１０とセレクタＳＥＬを有し，フィルタ帯域制御回路１３３からの制御信号Ｓ１３３Ｂにより，スイッチＳ１０とセレクタＳＥＬを制御することで，一次フィルタか二次フィルタかに切り替えられてフィルタの周波数遮断特性が可変制御される。制御信号Ｓ１３３Ａにより，スイッチＳＷ１，ＳＷ２，ＳＷ３，ＳＷ１１，ＳＷ１２，ＳＷ１３を制御することで，カットオフ周波数の可変制御をすることは，図８と同じである。
【００４３】
制御信号Ｓ１３３ＢによりスイッチＳＷ１０を導通させ，セレクタＳＥＬをスイッチＳＷ１０側に切り替えると，図９の可変フィルタは一次のフィルタとなり，図８の可変フィルタと同じなる。一方，制御信号Ｓ１３３ＢによりスイッチＳＷ１０を非導通にし，セレクタＳＥＬをオペアンプＯＰＡ２側に切り替えると，図９の可変フィルタは二次のフィルタになり，カットオフ周波数での周波数遮断特性がよりシャープになる。
【００４４】
図１０は，図９の可変フィルタのフィルタ特性を示す図である。制御信号Ｓ１３３Ａのうちチャネル１，２，３に対応するスイッチＳＷ１とＳＷ１１，ＳＷ２とＳＷ１２，ＳＷ３とＳＷ１３がそれぞれ導通すると，カットオフ周波数はそれぞれｆｃ１＞ｆｃ２＞ｆｃ３に制御される。さらに，制御信号Ｓ１３３ＢによりスイッチＳＷ１が導通して一次フィルタにされると，遮断特性は実線のようになり，スイッチＳＷ２が非導通になり二次フィルタにされると，遮断特性は破線のように実線よりシャープになる。
【００４５】
このように，図９の可変フィルタを利用すれば，カットオフ周波数に加えて周波数遮断特性も可変制御することができる。そこで，希望波３０と妨害波３４との関係に対応して，最適なカットオフ周波数と周波数遮断特性とに制御することで，より適切に通過帯域から妨害波３４を低減し，隣接波３１，３２を含めることができる。
【００４６】
図１１は，本実施の形態における可変フィルタの周波数特性の制御例を示す図である。図１１（Ａ）は，希望波３０が放送波周波数帯域ＤＴＶの端部近傍に位置する例であり，図１１（Ｂ）は，希望波３０が放送波周波数帯域ＤＴＶの最端部に位置する例である。図１１（Ａ）の場合の希望波３０と妨害波３４との周波数差は，図１１（Ｂ）の場合の周波数差よりも大きい。
【００４７】
図１１の例では，（Ａ）の場合の可変フィルタ１３２は，スイッチＳＷ３，ＳＷ１３が導通され最も狭い帯域に制御されている。ただし，スイッチＳＷ１０が導通，セレクタＳＥＬがスイッチＳＷ１０側に切り替えられ，周波数遮断特性は緩やかに制御されている。可変フィルタ１３２の帯域特性がＦ１３２−１ように制御されることで，通過帯域から妨害波３４は適切に除外され，希望波３０の隣接波３１，３２はより多く含まれる。
【００４８】
図１１（Ｂ）の場合の可変フィルタ１３２も，スイッチＳＷ３，ＳＷ１３が導通され最も狭い帯域に制御されている。一方，スイッチＳＷ１０が非導通，セレクタＳＥＬがオペアンプＯＰＡ２側に切り替えられて二次フィルタとなり，周波数遮断特性はよりシャープに制御されている。可変フィルタ１３２の帯域特性がＦ１３２−２のように制御されることで，通過帯域から妨害波３４は適切に除外される。
【００４９】
このように，可変フィルタのカットオフ周波数と遮断特性を組み合わせて可変制御することで，可変フィルタの周波数特性Ｆ１３２をより適切に制御することができる。
【００５０】
上記の図６のチューナ１２において，ミキサ１２２は第１の周波数帯域Ｆ１２２を有するフィルタ機能を有しているが，このフィルタ機能はなくても良い。すなわち，ミキサ１２２は，選択チャネルの周波数に対応するローカル周波数信号ＦＬｏにより乗算されて中間周波数信号Ｓ１２２を出力する。そして，可変フィルタ１３２は，第１の周波数帯域Ｆ１２２かそれよりカットオフ周波数が低く狭帯域の第２の周波数帯域Ｆ１３２のいずれかに，選択チャネル情報ＣＨに応じて可変制御される。希望波が放送波帯域ＤＴＶの端部以外であれば，第１の周波数帯域Ｆ１２２に制御され，希望波とその隣接波が適切に含まれた中間周波数信号Ｓ１３２が電力検出回路に入力される。一方，希望波が放送波帯域ＤＴＶの端部にあれば，第２の周波数帯域Ｆ１３２に制御され，妨害波３４が除外された中間周波数信号Ｓ１３２が電力検出回路に入力される。
【００５１】
この場合も，希望波選択フィルタ１２４は，上記と同様に固定されたカットオフ周波数のローパスフィルタであり，ローカル周波数ＦＬｏに近接する希望波が抽出される。
【００５２】
図１２は，第２の実施の形態おける無線受信装置である。このチューナ１２は，図６の実施の形態と異なり，可変フィルタ１３２Ａがミキサ１２２と希望波選択フィルタ１２４との間に設けられている。そして，可変フィルタ１３２Ａの周波数帯域や遮断特性が，図６の実施の形態と同様に，選択チャネル情報ＣＨに基づいて，可変制御される。そして，可変フィルタ１３２Ａの出力信号Ｓ１３２が電力検出回路１２８と希望波選択フィルタ１２４とに供給される。
【００５３】
この可変フィルタ１３２Ａも，図４，図７のように，希望波３０の周波数帯が放送波周波数帯域ＤＴＶ内の端部の周波数帯以外の周波数帯の場合に，放送波周波数帯域内ＤＴＶにある希望波３０とその隣接波３１，３２とを含む第１の通過帯域Ｆ１２２に制御される。一方，希望波３０の周波数帯が放送波周波数帯域ＤＴＶ内の端部の周波数帯の場合には，放送波周波数帯域ＤＴＶ内にある希望波３０とその隣接波３１，３２とを含み第１の通過帯域より狭い第２の通過帯域Ｆ１３２に制御され，第２の通過帯域Ｆ１３２は，放送波周波数帯域ＤＴＶ外の既知の妨害波３４を含まないように制御される。
【００５４】
第２の実施の形態においても，ミキサ１２２はフィルタ特性を有していても有していなくてもよい。
【００５５】
図１３は，第３の実施の形態における無線受信装置である。図１３のチューナ１２は，ローカル周波数信号ＦＬｏの周波数は固定されている。例えば，ローカル周波数ＦＬｏは，放送波周波数帯域ＤＴＶの中心周波数に設定されている。したがって，ミキサ１２２の出力Ｓ１２２は，放送波の希望波３０や隣接波３１，３２に加えて妨害波３４も含みうる。
【００５６】
そこで，可変フィルタ１３２は，選択されたチャネル情報ＣＨに基づいて，その通過帯域が制御され，放送波周波数帯域ＤＴＶ外の既知の妨害波３４を低減しながら，できるだけ放送波周波数帯域内の隣接波は含まれるように制御される。さらに，希望波選択フィルタ１２４は，選択チャネル情報ＣＨに基づき帯域制御部１２５により選択された希望波の周波数のみを通過させるように，その通過帯域が可変制御される。
【００５７】
第３の実施の形態において，可変フィルタ１３２は，希望波の周波数帯が放送波周波数帯域内の端部の周波数帯以外の周波数帯の場合に，放送波周波数帯域内にある希望波とその隣接波とを含む第１の通過帯域に制御され，希望波の選択周波数帯が放送波周波数帯域内の端部の周波数帯の場合に，放送波周波数帯域内にある希望波とその隣接波とを含み放送波周波数帯域外の既知の妨害波を含まない第２の通過帯域に制御される。
【００５８】
以上説明した実施の形態では，地上デジタル放送受信装置が携帯電話通信装置と共に設けられた携帯電話を例に説明した。しかしながら，地上デジタル放送受信装置にかぎらず，そのアプリケーションの周波数帯域内に複数のチャネルの周波数帯が割り当てられていて，そのアプリケーションの周波数帯域の外側に妨害波を発生しうる周波数帯域が割り当てられている場合にも，本実施の形態を適用することができる。
【００５９】
以上の実施の形態をまとめると，次の付記のとおりである。
【００６０】
（付記１）
第１周波数帯域内に含まれる複数の周波数帯の電波から，選択された周波数帯の希望波を受信した高周波受信信号を増幅する増幅器と，
前記増幅器が出力する増幅高周波受信信号にローカル周波数信号を乗算して中間周波数受信信号を出力するミキサと，
前記中間周波数受信信号のうち選択周波数帯の希望波とそれに隣接する周波数帯の隣接波とを通過させる可変フィルタと，
前記可変フィルタを通過した前記希望波と隣接波の電力を検出する電力検出回路と，
前記検出された電力が基準電力に近づくように前記増幅器のゲインを制御するゲイン制御回路とを有し，
前記可変フィルタは，前記選択周波数帯が前記第１周波数帯域内の端部の周波数帯の場合に，前記選択周波数帯が前記第１周波数帯域内の前記端部の周波数帯以外の周波数帯の場合に比較して，通過帯域が狭く制御される無線受信装置。
【００６１】
（付記２）
付記１において，
前記ミキサに入力される前記ローカル周波数信号のローカル周波数は，前記選択周波数帯に対応する周波数に切り替えられ，
前記ミキサは，前記ローカル周波数を中心とし前記希望波とその隣接波とを含む第１の通過帯域を有するフィルタ特性を有する無線受信装置。
【００６２】
（付記３）
付記２において，
さらに，前記第１の通過帯域を通過した前記中間周波数受信信号から，前記隣接波を除き前記希望波の周波数帯を通過させる希望波選択フィルタを有し，
前記希望波選択フィルタを通過した希望波が後段の復調装置に出力される無線受信装置。
【００６３】
（付記４）
付記２において，
前記可変フィルタは，前記選択周波数帯が前記第１周波数帯域内の前記端部の周波数帯以外の周波数帯の場合に，前記第１周波数帯域内にある前記希望波とその隣接波とを含む前記第１の通過帯域に制御され，前記選択周波数帯が前記第１周波数帯域内の前記端部の周波数帯の場合に，前記第１周波数帯域内にある前記希望波とその隣接波とを含み前記第１の通過帯域より狭い第２の通過帯域に制御され，
前記第２の通過帯域は，前記第１周波数帯域外の既知の妨害波を含まないように制御される無線受信装置。
【００６４】
（付記５）
付記２において，
さらに，前記可変フィルタを通過した中間周波数受信信号から，前記隣接波を除き前記希望波の周波数帯を通過させる希望波選択フィルタを有し，
前記希望波選択フィルタを通過した希望波が後段の復調装置に出力される無線受信装置。
【００６５】
（付記６）
所定周波数帯域内に含まれる複数の周波数帯の電波から，選択された周波数帯の希望波を受信する無線受信装置において，
受信した高周波受信信号を増幅する増幅器と，
前記増幅器が出力する増幅高周波受信信号にローカル周波数信号を乗算して中間周波数受信信号を出力するミキサと，
前記中間周波数受信信号のうち選択周波数帯の希望波とそれに隣接する周波数帯の隣接波とを通過させる可変フィルタと，
前記可変フィルタを通過した前記希望波と隣接波の電力を検出する電力検出回路と，
前記検出された電力が基準電力に近づくように前記増幅器のゲインを制御するゲイン制御回路とを有し，
前記可変フィルタは，前記選択周波数帯が前記所定周波数帯域内の前記端部の周波数帯以外の周波数帯の場合に，前記所定周波数帯域内にある前記希望波とその隣接波とを含む第１の通過帯域に制御され，前記選択周波数帯が前記所定周波数帯域内の前記端部の周波数帯の場合に，前記所定周波数帯域内にある前記希望波とその隣接波とを含み前記所定周波数帯域外の既知の妨害波を含まない第２の通過帯域に制御される無線受信装置。
【００６６】
（付記７）
地上デジタル放送の放送波周波数帯域内に含まれる複数の周波数帯の放送波から，選択された周波数帯の希望放送波を受信した高周波受信信号を増幅する増幅器と，
前記増幅器が出力する増幅高周波受信信号に，前記希望放送波の周波数に対応するローカル周波数信号を乗算し，前記ローカル周波数を中心とする第１の周波数帯域であって前記希望放送波とその隣接波とを含む第１の周波数帯域を通過させて，中間周波数受信信号を出力するミキサと，
前記中間周波数受信信号のうち前記第１の周波数帯域に含まれる希望放送波とその隣接波とを通過させる可変フィルタと，
前記可変フィルタを通過した前記希望放送波とその隣接波の電力を検出する電力検出回路と，
前記検出された電力が基準電力に近づくように前記増幅器のゲインを制御するゲイン制御回路とを有し，
前記可変フィルタは，前記希望放送波の周波数帯が前記放送波周波数帯域内の端部の周波数帯の場合に，前記希望放送波の周波数帯が前記放送波周波数帯域内の前記端部の周波数帯以外の周波数帯の場合に比較して，通過帯域が狭く制御される地上デジタル放送受信装置。
【００６７】
（付記８）
付記７において，
さらに，前記第１の通過帯域を通過した前記中間周波数受信信号から，前記隣接波を除き前記希望波の周波数帯を通過させる希望波選択フィルタを有し，
前記希望波選択フィルタを通過した希望波が後段の復調装置に出力される無線受信装置。
【符号の説明】
【００６８】
１２０：増幅器                          １２２：ミキサ
ＦＬｏ：ローカル周波数信号              １３２：可変フィルタ
１２８：電力検出回路                    １３０：自動ゲイン制御部
ＣＨ：選択チャネル情報                  １２４：希望波選択フィルタ
【図１】
0005569165.tif 000002
【図２】
0005569165.tif 000003
【図３】
0005569165.tif 000004
【図４】
0005569165.tif 000005
【図５】
0005569165.tif 000006
【図６】
0005569165.tif 000007
【図７】
0005569165.tif 000008
【図８】
0005569165.tif 000009
【図９】
0005569165.tif 000010
【図１０】
0005569165.tif 000011
【図１１】
0005569165.tif 000012
【図１２】
0005569165.tif 000013
【図１３】
0005569165.tif 000014